(57)【要約】      （修正有）【課題】電池交換式で駆動する装置の点検保守の労力を低減し、点検保守の確実化により、非常時の装置の稼働を確実なものとする報知器を提供する。【解決手段】複数のタイマーを設定することができる報知器であって、各タイマーに対応する、液晶表示部２（２ａ，２ｂ）と操作部とを備える報知器１００である。報知器１００は、自動体外式除細動器の電極パッドと電池との交換時期を報知するために用いられるものであって、電極パッドの交換時期を示すタイマーと、電池の交換時期を示すタイマーとを有する。【選択図】図１
0003186551.tif 000002
【実用新案登録請求の範囲】
【請求項１】
複数のタイマーを設定することができる報知器であって、各タイマーに対応する、表示部と操作部とを備える報知器。
【請求項２】
自動体外式除細動器の電極パッドと電池との交換時期を報知するために用いられるものであって、
電極パッドの交換時期を示すタイマーと、電池の交換時期を示すタイマーとを有する、請求項１記載の報知器。
【請求項３】
報知の対象を識別するための識別部を有する、請求項１又は２に記載の報知器。
【請求項４】
壁掛け用の止め穴を有する、請求項１〜３のいずれかに記載の報知器。
【考案の詳細な説明】
【技術分野】
【０００１】
本考案は、複数のタイマーを設定することができる報知器であって、各タイマーに対応する、表示部と操作部とを備える報知器に関する。
【背景技術】
【０００２】
震災等の非常時に備えて、コンセントなどの電源を必要とせず、電池交換式で駆動する装置の需要が広まっている。自動体外式除細動器（以下、ＡＥＤということがある）も非常時でも稼働できる電池交換式の装置のひとつであり、該装置が備える電極パッドと電池（バッテリー）は、定期的な交換によって常に稼働できる状態に維持されるべきものである。例えば、電極パッドは約２年に１回、電池は約４年に１回、交換されることが望ましいとされている。
【０００３】
ＡＥＤのメーカーが発信する日常点検保守の方法では、上記電極パッドや電池の定期的な交換を促すために、ＡＥＤ本体にタグを取りつけて、そのタグに記載した交換時期を確認することを推奨している。
【０００４】
しかしながら、ＡＥＤの設置台数の多い病院や省庁、オフィスビル等では、設置場所が各所に亘り、また、ＡＥＤ毎に交換時期が異なるため、日常点検及び保守には労力を要するものであった。
【考案の概要】
【考案が解決しようとする課題】
【０００５】
本考案は、電池交換式で駆動する装置の点検保守の労力を低減し、点検保守を漏れなく行うことを可能とすることで、装置を使用する際に、その稼働を確実なものとすることを課題とする。
【課題を解決するための手段】
【０００６】
本考案は、複数のタイマーを設定することができる報知器であって、各タイマーに対応する、表示部と操作部とを備える報知器に関する。
【０００７】
本考案の上記報知器は、自動体外式除細動器の電極パッドと電池との交換時期を報知するために用いられるものであって、電極パッドの交換時期を示すタイマーと、電池の交換時期を示すタイマーとを有する態様を含む。
【０００８】
本考案の上記報知器は、報知の対象を識別するための識別部を有する態様や、壁掛け用の止め穴を有する態様とすることが好ましい。
【考案の効果】
【０００９】
本考案によれば、一台の報知器で複数のタイマーを設定することができるので、ＡＥＤなど、一つの装置に対して定期交換等の点検保守が必要な部材が複数存在する場合に、装置毎に点検保守の時期を管理することができる。また、装置と離れた場所でのタイマー管理が可能となり、特に、複数の装置を建物内の各所に設置しているような場合に、装置の点検保守の時期を一括で管理することができ、点検保守の労力を大幅に低減することができる。更には、それぞれの部材に対するタイマーの表示部を備えるので、視認性に優れており、点検保守をより確実なものとすることができる。
【図面の簡単な説明】
【００１０】
【図１】図１は、本考案の報知器の実施の形態の一例を示す正面図である。
【図２】図２は、本考案の報知器の実施の形態の一例を示す背面図である。
【図３】図３は、本考案の報知器の実施の形態の一例を示す上面図である。
【図４】図４は、本考案の報知器の実施の形態の一例を示す底面図である。
【図５】図５は、本考案の報知器の実施の形態の一例を示す右側面図である。
【図６】図６は、本考案の報知器の実施の形態の一例を示す左側面図である。
【図７】図７は、本考案の報知器のスタンドを利用した場合の一例を示す左側面図である。
【図８】図８（ａ）および（ｂ）は、本考案の報知器の表示部の操作状態を示す説明図である。
【考案を実施するための形態】
【００１１】
以下、図面を用いて本考案の実施の形態を説明するが、本考案は図面及び実施の形態に限定されるものではない。
【００１２】
本考案の報知器は、複数のタイマーを設定することができ、各タイマーに対応する、表示部と操作部とを備える報知器に関する。
【００１３】
図１に、本考案の報知器の実施の形態の一例の正面図を示す。図１に示す本考案の報知器１００は、電源スイッチ１と、２つの液晶表示部２（液晶表示部２ａ、液晶表示部２ｂ）と、識別部３と、スピーカー４と、液晶表示部２それぞれに対応する、セレクトボタン５ａ、５ｂ、ダウンボタン６ａ、６ｂ、アップボタン７ａ、７ｂ、セットボタン８ａ、８ｂ及びリセットボタン９ａ、９ｂと、スタンド１０とを備える。
【００１４】
図２に、本考案の報知器の実施の形態の一例の背面図を示す。図２は、図１の背面に相当する。図２に示すように、本考案の報知器１００はその背面に、壁掛け用止め穴１１、ＡＣアダプタ挿入口１２を備える。
【００１５】
電源スイッチ１は、報知器１００全体の電源の入切を操作するためのものである。図３は、本考案の報知器の実施の形態の一例の上面図であり、たとえば、該図に示すように、電源スイッチ１は、スライド操作によって入切を切り替えることができる構造をとる。その他、ボタンの押入により切り替える構造としてもよい。
【００１６】
液晶表示部２は、本考案の表示部に相当する部分である。本考案では、図１に示すように、表示部（液晶表示部２）を複数備えることを特徴とする。本考案の報知器をＡＥＤ装置の電極パッドと電池の交換時期の保守のために用いるような場合、それぞれの部材（電極パッド）の交換時期を示すタイマーに対応する表示部を備えるので、視認性に優れており、点検保守をより確実なものとすることができる。表示部は、たとえば、西暦年及び月の数値それぞれを７セグメントＬＥＤにて表示する態様とすることができ、２０１５年４月であれば、液晶表示部には２０１５０４と表示される。
【００１７】
識別部３は、本考案の報知器をＡＥＤ装置の電極パッドと電池の交換時期の保守のために用いるような場合、上記装置の設置場所を直接記入したり、ラベルライターなどによるラベルを貼付したりするためのスペースである。識別部３に記入等された内容により、報知器による報知の対象、すなわち、いずれのＡＥＤ装置に対応するものであるかを識別することができる。本考案の報知器１００はこのような識別部３を有することで、ＡＥＤ装置が建物内などに複数設置され、対応する報知器を複数管理する必要がある場合などに、いずれの装置に対応する報知であるかを、即時に判別することができる。識別部３は、ラベルを貼付や取り外しを容易にするために凹状に設けてもよい。識別部３は、報知器１００の正面、背面のいずれに設けることも可能であるが、交換時期が来たことを示す液晶表示部２と、ＡＥＤ装置の設置場所等とを簡便に確認することができるという観点から、液晶表示部２が設けられた面に設けることが好ましい。
【００１８】
上記報知は、スピーカー４からの音声の再生による。再生する音声としては、本考案の報知器をＡＥＤ装置に関する報知器とする場合、「ＡＥＤパッドを交換してください」及び「バッテリーを交換してください」などとする。また、該報知は、液晶表示部に表示される交換時期の月の一日の正午になされるように、予め設定しておくことができる。
【００１９】
本考案の報知器１００は、操作部として、液晶表示部２それぞれに対応する、セレクトボタン５ａ、５ｂ、ダウンボタン６ａ、６ｂ、アップボタン７ａ、７ｂ、セットボタン８ａ、８ｂ及びリセットボタン９ａ、９ｂを備える。該操作部は、タイマー及び表示部のそれぞれに対応して設けられる。操作部によるタイマーの操作については後述する。
【００２０】
本考案の報知器１００は、本体内部にリチウムイオン充電式電池を内蔵し、この電力により稼働する。図４に、本考案の報知器の実施の形態の一例を示す底面図を示す。充電式電池は、ＡＣアダプタ挿入口１２よりＡＣ１００Ｖ用のＡＣアダプタを用いて充電することができる。また、上記リチウムイオン充電式電池は、数時間〜数十時間のバックアップが可能であり、バックアップによりタイマーデータを報知器本体内の記憶装置上に保存しておくことができる。
【００２１】
スタンド１０は、図５の本考案の報知器の実施の形態の一例を示す右側面図と、図６の本考案の報知器の実施の形態の一例を示す左側面図に示すように、収容時には、報知器１００の本体背面と連続した平面を形成する。図７は、本考案の報知器のスタンドを利用した場合の一例を示す左側面図である。スタンド１０は報知器１００本体との接続部を軸として、背面側に回転させることが可能である。図７に示すように、報知器１００本体と約８０〜９０度の角度を形成するようにスタンド１０を背面側へ回転させることで、スタンド１０が報知器１００本体を支持することができる。このように、報知器１００は卓上などに配置することができるため、管理上の視認性に優れる。
【００２２】
また、スタンドを利用せずに、上記壁掛け用止め穴２を用いて壁に設置する場合も、液晶表示部２と識別部３とを一瞥して認識することができ、管理上の視認性に優れる。
【００２３】
本考案の報知器１００は、たとえば、外形寸法を幅７５ｍｍ、高さ１３５ｍｍ、奥行き２０ｍｍに設定する。このような外形寸法とすることで、取扱及び操作が容易であり、多数のＡＥＤ装置に対する多数の報知器を管理する場合に、管理場所の確保が容易となる。
【００２４】
以下、本考案の報知器のカレンダー機能及び該機能に関する操作部の操作について説明する。以下の説明においては、本考案の報知器を、ＡＥＤ装置の電極パッドと電池の交換時期を報知するために用いる場合について詳述する。
【００２５】
本考案の報知器１００は、液晶表示部２ａ、２ｂのそれぞれに対応したカレンダー機能（タイマー）を有し、電極パッドの交換日と、電池の交換日の二種の日付を設定することができる。
【００２６】
カレンダー機能を有効にするために、まず、報知器１００本体の日付時刻を設定する。図１に示される上部（ＰＡＤ側）の液晶表示部２ａの操作部のリセットボタン９ａを押した状態のまま、セレクトボタン５ａとセットボタン８ａとを同時に押す。その後、リセットボタン９ａを離し、次いでセレクトボタン５ａとセットボタン８ａとを離す。これらの操作により、本体の日付時刻の設定が可能となる。
【００２７】
本体の日付時刻の設定は、ＰＡＤ側の液晶表示部２ａと操作部で「年」と「月」を設定し、ＢＡＴＴＥＲＹ側の液晶表示部２ｂと操作部で「時」、「分」を設定する。「年」は年の下二桁１３〜９９、「月」は０１〜１２、「時」は００〜２３、「分」は００〜５９の二桁ごとに操作する。
【００２８】
液晶表示部２ａに対応するセレクトボタン５ａを押すと、図８（ａ）に示すように、「年（図中、ＹＥＡＲ）」表示の千の位のドットカーソル１３が点滅し、年の下二桁の数値変更が可能な状態になる。数値の変更は、アップボタン７ａとダウンボタン６ａとの操作による。次いで「月」の数値を変更するために桁を移動する場合は、再度セレクトボタン５ａを押す。図８（ｂ）に示すように、「月（図中、ＭＯＮＴＨ）」の下の桁にドットカーソル１３が点滅し、「月」の二桁の数値変更が可能な状態になる。数値変更は、「年」と同様、アップボタン７ａとダウンボタン６ａとの操作による。
【００２９】
ドットカーソル１３は、セレクトボタン５ａを押すたびに表示部の左から右へ移動し、月の下の桁まで移動した後は、再度図８（ａ）のように表示部の左側へ移行する。その後、セレクトボタン５ａの押入毎に、ドットカーソル１３は上記移動を繰り返す。
【００３０】
所望の「年」、「月」の数値表示になったところで、セットボタン８ａを押して設定を記憶させる。
【００３１】
「時」、「分」についても同様に設定することができる。即ち、液晶表示部２ｂに対応するセレクトボタン５ｂを押すと、「時」の数値変更が可能な状態になる。数値の変更はアップボタン７ｂとダウンボタン６ｂとの操作による。次いで「分」の数値を変更するために、セレクトボタン５ｂを押す。ドットカーソル１３が液晶表示部２ｂの右端で点滅し、「分」の二桁の数値変更が可能な状態になる。アップボタン７ｂとダウンボタン６ｂとにより所望の数値表示とし、セットボタン８ｂを押して設定を記憶させる。この場合、液晶表示部２ｂは、下四桁の表示となる。
【００３２】
操作の都合上、数値を変えたものの、変更内容を記憶させずに設定作業を終了する場合は、リセットボタン９ａまたは９ｂを押す。再度設定を開始する場合は、上記のとおり、液晶表示部２ａの操作部のリセットボタン９ａを押した状態のまま、セレクトボタン５ａとセットボタン８ａとを同時に押す。その後、リセットボタン９ａを離し、次いでセレクトボタン５ａとセットボタン８ａとを離す。これらの操作により、本体の日付時刻を設定する。
【００３３】
報知機能を発現させるために、電極パッドの交換時期と、電池の交換時期を設定する。交換時期は「年」、「月」で設定する。まず、電極パッド（図中、ＰＡＤ側）の液晶表示部２ａの数値の設定変更について説明する。液晶表示部２ａに対応するセレクトボタン５ａを押すと、設定変更が可能な状態となる。図８（ａ）に示すように、「年」の千の位ドットカーソル１３が点滅し、数値の変更ができる状態となる。アップボタン７ａとダウンボタン６ａとの操作により所望の「年」に数値表示を変更させる。次いで、セレクトボタン５ａを押し、ドットカーソル１３を図８（ｂ）に示すように、液晶表示部２ａの右端まで移動させ、「月」の二桁を変更できる状態とする。「年」の数値表示の変更と同様、アップボタン７ａとダウンボタン６ａとの操作により所望の「月」に数値表示を変更させる。所望の「年」、「月」の数値表示になったところで、セットボタン８ａを押して設定を記憶させる。
【００３４】
続いて、電池（図中、ＢＡＴＴＥＲＹ側）の液晶表示部２ｂの数値の設定変更をする。液晶表示部２ｂに対応するセレクトボタン５ｂを押すと、「年」の千の位ドットカーソルが点滅し、設定変更が可能な状態となる。電極パッドの液晶表示部２ａの設定変更と同様に、アップボタン７ｂとダウンボタン６ｂとの操作により所望の「年」に数値表示を変更させる。次いで、セレクトボタン５ｂを押し、ドットカーソルを液晶表示部２ｂの右端まで移動させ、「月」の二桁を変更できる状態とする。アップボタン７ｂとダウンボタン６ｂとの操作により所望の「月」に数値表示を変更させる。所望の「年」、「月」の数値表示になったところで、セットボタン８ｂを押して設定を記憶させる。
【００３５】
操作の都合上、数値を変えたものの、変更内容を記憶させずに設定作業を終了する場合は、リセットボタン９ａまたは９ｂを押す。ドットカーソル１３の移動については、日付時刻設定の場合と同様である。
【００３６】
上記設定した交換時期（交換日）に達すると、スピーカー４よりアラーム音声が再生される。音声を停止する場合は、電極パッドの報知についてはリセットボタン９ａを、電池の報知についてはリセットボタン９ｂを、それぞれ長押し（約３秒）する。
【００３７】
上記報知（アラーム）の再生回数は任意に設定することができる。該再生回数の設定は、電極パッド（図中、ＰＡＤ）側の液晶表示部２ａの「月」に対応する二桁の表示を変更させて行なう。設定した再生回数は、電極パッド用と電池用との両方に対応するものである。
【００３８】
まず、液晶表示部２ａに対応するリセットボタン９ａを押しながら、ダウンボタン６ａとアップボタン７ａとを同時に押す。その後、リセットボタン９ａを離し、次いでダウンボタン６ａとアップボタン７ａとを離す。該操作により、アラームの再生回数の設定が可能となる。
【００３９】
液晶表示部２ａに対応するセレクトボタン５ａを押し、図８（ｂ）に示すように、液晶表示部２ａの右端にドットカーソル１３が点滅し、「月」の表示部分の数値変更が可能な状態とする。アップボタン７ａとダウンボタン６ａとの操作により数値表示を変更し、所望の表示となったところで、セットボタン８ａを押し設定を完了する。数値を変えたものの、変更内容を記憶させずに設定作業を終了する場合は、リセットボタン９ａを押す。
【００４０】
再生回数を０回（表示「００」）に設定すると、リセットボタン９ａを長押し（約３秒）するまで、アラームの音声再生を繰り返し出力することができる。これにより報知時の音声を確認することができる。ただし、音声再生を繰り返し出力している際に、報知器本体の内蔵電池が動作しており、該内蔵電池の電圧が本体の内部時計を保持するための最低電圧に達した時は、自動的にアラーム再生が停止する。この場合、内蔵電池が消耗した状態にあるため、本体の内部時計の保持とリチウム充電式電池の充電のために、ＡＣアダプタの取付を早急に行ない、電源を確保する必要がある。
【００４１】
本考案の報知器は、複数のタイマーを設定することができるので、長期間での装置の点検保守に限らず、表示部の表示を「時」、「分」に変更することで、日常生活のキッチンタイマーや、仕事毎のアラームのための報知器としても利用することができる。
【符号の説明】
【００４２】
１００  報知器
１      電源スイッチ
２      液晶表示部
３      識別部
４      スピーカー
５      選択ボタン
６      ダウンボタン
７      アップボタン
８      決定ボタン
９      リセットボタン
１０    スタンド
１１    壁掛け用止め穴
１２    ＡＣアダプタ挿入口
１３    ドットカーソル
【図１】
0003186551.tif 000003
【図２】
0003186551.tif 000004
【図３】
0003186551.tif 000005
【図４】
0003186551.tif 000006
【図５】
0003186551.tif 000007
【図６】
0003186551.tif 000008
【図７】
0003186551.tif 000009
【図８】
0003186551.tif 000010